(57)【特許請求の範囲】
【請求項１】
キャブの前窓の前面に取付けた前窓ガードと、
左右の側枠と前枠および後枠とからなる枠を有し、キャブの天窓上に開閉可能に取付けた天窓ガードと、
左右の縦枠と上枠および下枠からなる矩形の枠を有し、前記前窓ガードの上端に下端を固定し、上端をキャブに設けた取付け座に固定して斜めに取付けられ、前記上枠が前記天窓ガードの前記前枠と近接して対面して前記前窓と前記天窓との間のコーナー部を覆うコーナーガードとを備え、
前記天窓ガードの撓みにより前記天窓ガードの前記前枠が前記コーナーガードの前記上枠に当接するように構成したことを特徴とする作業機のキャブガード。
【請求項２】
請求項１に記載の作業機のキャブガードにおいて、
キャブの上面に設けられた前記天窓ガードの取付け座を、前記コーナーガードの上端を固定する取付け座として兼用したことを特徴とする作業機のキャブガード。
【請求項３】
請求項１または２に記載の作業機のキャブガードにおいて、
前記コーナーガードの上枠の板面および前記天窓ガードの前枠の板面を、キャブ内のオペレータの視線の方向と平行に設定したことを特徴とする作業機のキャブガード。
【請求項４】
請求項１から３までのいずれか１項に記載の作業機のキャブガードにおいて、
前記コーナーガードにおける作業用フロントの反対側の縦枠上に、複数のライトを縦枠の長手方向に並べて取付けたことを特徴とする作業機のキャブガード。
【請求項５】
請求項１から４までのいずれか１項に記載の作業機のキャブガードにおいて、
前記コーナーガード上にライトを姿勢変更可能に取付けると共に、ライト最上部が最も低くなる姿勢において、前記最上部が前記天窓ガードの上面以下となるように設定したことを特徴とする作業機のキャブガード。
【発明の詳細な説明】
【技術分野】
【０００１】
本発明は、解体機やスクラップ処理機等の作業機のキャブの前窓の前面および天窓の上面に取付けられるキャブガードに関する。
【背景技術】
【０００２】
解体機においては、作業中にキャブに向かって落下するコンクリートブロック等の落下物からキャブやオペレータを護るため、キャブの前窓の前面や天窓の上面にキャブガードを設ける。このようなキャブガードを備えたキャブにおいて、前窓や天窓が汚れると、キャブ内のオペレータによる目視対象物の視認が困難になるため、掃除をする必要がある。ここで、もし天窓とその上のヘッドガードとの間に隙間を設け、その隙間から手をいれて天窓の掃除を行なう構造にすると、その隙間は手を入れるだけの幅とする必要が生じる。その結果、ヘッドガードの高さが高くなって輸送制限高さを超えてしまうおそれがある。
【０００３】
そこでこのヘッドガードの高さを低くするには、特許文献１に記載のように、ヘッドガードを開閉可能とし、掃除の時にはヘッドガードを開いて掃除を行なう構造とすることが好ましい。すなわち、ヘッドガードを開閉可能とすれば、ヘッドガードを閉じた通常の作業状態や輸送状態ではヘッドガードと天窓との間の隙間を狭くすることができる。この特許文献１に記載のヘッドガードは、天窓上を覆う水平ガードと、天窓と前窓との間のコーナー部を覆う斜めのガードとを一体に構成し、この一体化したヘッドガードの前端部に設けた蝶番を中心にヘッドガードを開閉可能としている。
【先行技術文献】
【特許文献】
【０００４】
【特許文献１】特開２００８−１６３５９５号公報
【発明の概要】
【発明が解決しようとする課題】
【０００５】
しかしながら、特許文献１に記載のように、ヘッドガードを天窓上部の水平ガードとコーナー部を覆う斜めのガードとを一体化して開閉する構成にすると、ヘッドガードの重量が大となり、掃除に伴うヘッドガードの開閉作業に多大の労力を要すると共に、ヘッドガードを開く際に押上力を助成するガスシリンダ等の付勢手段の規模を大きくする必要があるという問題点がある。
【０００６】
また、解体機等の作業機において、作業中に高所から落下するコンクリートブロック等の落下物から天窓やオペレータを護るには、ガードの強度を高くする必要がある。ガードの強度を高くするには、ガードの構成部材の厚みや幅を大きくする必要があり、その結果、ガードの重量が増大する。しかしながら、特許文献１に記載の構成においては、開閉操作に要する労力の関係上、より以上の重量の増大が困難になり、強度を高めることが困難であるという問題点がある。
【０００７】
本発明は、上記問題点に鑑み、ガードの強度の向上の要求に応えることが可能になると共に、掃除の際のヘッドガードの開閉作業の容易化や開き力を助成する付勢手段の小型化が可能となる作業機のキャブガードを提供することを目的とする。
【課題を解決するための手段】
【０００８】
請求項１の作業機のキャブガードは、
キャブの前窓の前面に取付けた前窓ガードと、
左右の側枠と前枠および後枠とからなる枠を有し、キャブの天窓上に開閉可能に取付けた天窓ガードと、
左右の縦枠と上枠および下枠からなる矩形の枠を有し、前記前窓ガードの上端に下端を固定し、上端をキャブに設けた取付け座に固定して斜めに取付けられ、前記上枠が前記天窓ガードの前記前枠と近接して対面して前記前窓と前記天窓との間のコーナー部を覆うコーナーガードとを備え、
前記天窓ガードの撓みにより前記天窓ガードの前記前枠が前記コーナーガードの前記上枠に当接するように構成したことを特徴とする。
【０００９】
請求項２の作業機のキャブガードは、請求項１に記載の作業機のキャブガードにおいて、
キャブの上面に設けられた前記天窓ガードの取付け座を、前記コーナーガードの上端を固定する取付け座として兼用したことを特徴とする。
【００１０】
請求項３の作業機のキャブガードは、請求項１または２に記載の作業機のキャブガードにおいて、
前記コーナーガードの上枠の板面および前記天窓ガードの前枠の板面を、キャブ内のオペレータの視線の方向と平行に設定したことを特徴とする。
【００１１】
請求項４の作業機のキャブガードは、請求項１から３までのいずれか１項に記載の作業機のキャブガードにおいて、
前記コーナーガードにおける作業用フロントの反対側の縦枠上に、複数のライトを縦枠の長手方向に並べて取付けたことを特徴とする。
【００１２】
請求項５の作業機のキャブガードは、請求項１から４までのいずれか１項に記載の作業機のキャブガードにおいて、
前記コーナーガード上にライトを傾斜角調整可能に取付けると共に、ライト最上部が最も低くなる姿勢において、前記最上部が前記天窓ガードの上面以下となるように設定したことを特徴とする。
【発明の効果】
【００１３】
請求項１の発明によれば、キャブの上面を覆うヘッドガードを、コーナー部を覆うコーナーガードと、このコーナーガードと別体に開閉可能に取付けられた天窓ガードとに分離したので、開閉可能な天窓ガードを軽量に構成することができる。このため、天窓を掃除する際に天窓ガードを容易に開閉することが可能となる。また、開閉される天窓ガードの重量が従来のヘッドガードより軽量となるので、天窓ガードを開く際に押上力を助成する付勢手段の規模を小さくすることが可能となる。また、天窓ガードの重量を従来のヘッドガード程度としても開閉可能となるので、強度を高くした天窓ガードを構成することが可能となる。
また、天窓ガードを天板部に固定した状態においては、コーナーガードの上枠に天窓ガードの前枠が近接して対面し、天窓ガードにコンクリートブロック等が落下して天窓ガードが撓むと、前枠がコーナーガードの上枠に当接し、これによって天窓ガードがコーナーガードによって支持され、天窓ガードのより以上の変形が防止される。一方、コーナーガードにコンクリートブロック等が落下した場合は、コーナーガードの上枠が天窓ガードの前枠に当接して天窓ガードでも荷重を受ける。このような構造としたため、ガード全体の強度向上が達成できる。
【００１４】
請求項２の発明によれば、キャブの上面に設けられた天窓ガードの取付け座を、コーナーガードの取付け座として兼用したので、コーナーガード専用の取付け座を設ける必要がなく、取付け座の数を削減することができ、オペレータの視界を良好とすることができる。
【００１５】
請求項３の発明によれば、コーナーガードの上枠の板面および天窓ガードの前枠の板面を、キャブ内のオペレータの視線の方向と平行に設定したので、これらの部材がオペレータの視野の妨げとなることを最小限に留めることができる。
【００１６】
請求項４の発明によれば、コーナーガードの作業用フロントの反対側の縦枠に、複数のライトを縦枠の長手方向に並べて取付けたので、ライトが作業用フロント側、すなわち作業対象側の視界を遮ることがなく、作業対象物の方向の視界が良好となる。
【００１７】
請求項５の発明によれば、コーナーガード上にライトを姿勢変更可能に取付けると共に、ライト最上部が最も低くなる姿勢において、前記最上部が前記天窓ガードの上面より低くなる構造としたので、ガードを含めたキャブの高さを輸送制限高さ以下に抑えることが可能となる。
【図面の簡単な説明】
【００１８】
【図１】本発明を適用した作業機の一例を示す側面図である。
【図２】本発明のキャブガードの一実施の形態を示す側面図である。
【図３】この実施の形態のキャブガードの正面図である。
【図４】この実施の形態のキャブガードの平面図である。
【図５】この実施の形態のキャブガードの取付け構造を示す側面図である。
【図６】この実施の形態のキャブガードの部分拡大正面図である。
【図７】この実施の形態のキャブガードの斜視図である。
【発明を実施するための形態】
【００１９】
図１は本発明を適用した作業機の一例を示す側面図である。この例では作業機が解体機である場合について示す。図１において、１は下部走行体、２はこの下部走行体１上に旋回装置３を介して設置された上部旋回体である。この上部旋回体２は、旋回フレーム２ａ上に油圧パワーユニット４、キャブ５およびカウンタウエイト６等を搭載して構成される。
【００２０】
７は作業用フロントを構成する長尺フロントであり、この長尺フロント７は、旋回フレーム２ａに油圧シリンダ８により俯仰可能に取付けられた長尺の基端ブーム９と、この基端ブーム９の先端に油圧シリンダ１０により回動可能に取付けられた中継ブーム１１と、この中継ブーム１１の先端に油圧シリンダ１２により回動可能に取付けられたアーム１３と、このアーム１３の先端に油圧シリンダ１４によりリンク１５，１６を介して回動可能に取付けられた破砕装置１７とからなる。この破砕装置１７は、対をなす破砕爪１９，１９をそれぞれ対応する油圧シリンダ１８，１８により開閉する構成を有する。
【００２１】
図１に示すように、キャブ５にはキャブガード２１を取付ける。図２の側面図、図３の正面図、図４の平面図に示すように、このキャブガード２１は、キャブ５の前窓２２の前面に取付けられた上下の前窓ガード２３，２４と、キャブ５の天板部５ｂの天窓２５上に取付けられた天窓ガード２６と、前窓ガード２３と天窓ガード２６との間に斜めに取付けられ、前窓２２と天窓２５との間のコーナー部を覆うコーナーガード２７とからなる。
【００２２】
上側の前窓ガード２３は、型材でなる左右の縦枠３２，３２および下枠３３と、平板でなる上枠３４とで矩形の枠を組み、この枠内に、平板でなる複数枚の縦板３５と1枚の横板３６とを組み合わせて溶接して構成している。下側の前窓ガード２４は、型材でなる左右の縦枠３８，３８、上枠３９および下枠４０とで矩形の枠を組み、この枠内に複数枚の縦板４１を溶接してなる。
【００２３】
図５の側面図に示すように、前窓ガード２３をキャブ５に取付けるため、キャブ５の前面の左右のフレーム５ａに取付け座４３を溶接し、前窓ガード２３の左右の縦枠３２に設けたブラケット４４を、この取付座４３にボルト４５、ナット４６により固定する。下側の前窓ガード２４の取付けも同様に行なう。
【００２４】
図３、図４に示すように、コーナーガード２７は、型材でなる左右の縦枠４８，４８および平板でなる上枠４９、下枠５０とで矩形の枠を組み、この枠内に、平板でなる複数枚の縦板５１を溶接して構成する。図５の側面図および図６の正面図に示すように、コーナーガード２７の下端は、その下枠５０を前窓ガード２３の上枠３４に重ねてボルト５３、ナット５４により固定して取付ける。図７の斜視図に示すように、キャブ５の天板部５ｂの左右に設けた側部フレーム５ｃに、天窓ガード２６を取付けるための取付け座５５，５６を設ける。図５に示すように、コーナーガード２７の上端は、その左右の縦枠４８に設けたブラケット５７を、天窓ガード取付け用の取付け座５５にボルト５８、ナット５９により固定して取付ける。
【００２５】
前窓ガード２３，２４およびコーナーガード２７と前窓２２との間には、掃除の際に横方向から手を入れることが可能な隙間を形成している。そしてこの隙間の存在により、前窓２２の掃除の際にはこれらのガード２３，２４，２７の開閉は不要としている。
【００２６】
天窓ガード２６は、図４に示すように、型材でなる左右の側枠６０，６０および後枠６１と、平板でなる前枠６２とで矩形の枠を組み、この枠内の後部、すなわち、天窓２５上より後部に対面する部分は平板６３により閉塞し、この閉塞部と前枠６２との間に平板でなる複数枚の縦板６４を溶接してなる。この天窓ガード２６は、キャブ５の天板部５ｂ上の枢着部６６を中心として開閉可能に取付けられる。この枢着部６６は、キャブ５のフロント７側、すなわちステップ５ｄが設けられたキャブ５のドア５ｅ側（図１参照）の反対側に設ける。
【００２７】
図７の斜視図に示すように、天板部５ｂと天窓ガード２６との間に、天窓ガード２６に押し上げ方向の力を付与して開閉を容易化するためのガスシリンダ６８を取付ける。このガスシリンダ６８は圧搾ガスを密閉空間に封入したものである。枢着部６６の反対側に設けた取付け座５５，５６はねじ孔５５ａ，５６ａを有する一方、天窓ガード２６の枢着部６６の反対側の側枠６０には、取付け座５５，５６に固定するためのブラケット７０，７１を取付けている。図２、図５に示すように、天窓ガード２６を閉じる際には、ブラケット７０，７１を取付け座５５，５６に載せ、ボルト７２，７３をブラケット７０，７１に通してねじ孔５５ａ，５６ａに螺合することにより、天窓ガード２６を側部フレーム５ｃに固定する。
【００２８】
このように天窓ガード２６を天板部５ｂに固定した状態においては、図５に示すように、コーナーガード２７の上枠４９に天窓ガード２６の前枠６２が近接して対面し、天窓ガード２６にコンクリートブロック等が落下して天窓ガード２６が撓むと前枠６２がコーナーガード２７の上枠４９に当接し、これによって天窓ガード２６がコーナーガード２７によって支持され、天窓ガード２６のより以上の変形が防止される。一方、コーナーガード２７にコンクリートブロック等が落下した場合は、コーナーガード２７の上枠４９が天窓ガード２６の前枠６２に当接して天窓ガード２６でも荷重を受ける。このような構造として、ガード全体の強度向上を図っている。
【００２９】
図５に示すように、前記コーナーガード２７の上枠４９の板面および天窓ガード２６の前枠６２の板面を、いずれもキャブ５内のオペレータ６７の視線６９の方向と平行、すなわちアイポイント６７ａから放射状となるように設定している。このように各部材の板面の向きを設定することにより、これらの部材がオペレータの視野の妨げとなることを最小限に留めることができる。
【００３０】
図２、図５、図７において、７５は天窓ガード２６を開いた状態において、天窓ガード２６の枢着部６６の反対側を支持しておく支持ロッドである。この支持ロッド７５は、天窓ガード２６の側枠６０の側面に根本部７５ａを回動可能に支持させ、天窓ガード２６を閉じている作業状態では図２、図５に示すようにこの支持ロッド７５を側枠６０に添わせ、止め具７６により側枠６０に止めておく。この止め具７６は、図５に示すように、止め具本体７６ａを蝶番７６ｂにより開閉可能に取付けて構成され、支持ロッド７５を止め具本体７６ａと側枠６０との間に挟持した状態において、ボルト７６ｃにより側枠６０に止め具本体７６ａを固定することにより、支持ロッド７５を側枠６０に保持しておくものである。
【００３１】
一方、天窓２５を掃除するため、天窓ガード２６を図７に示すように開いた状態においては、ボルト７６ｃを緩めて止め具本体７６ａを開くことにより、支持ロッド７５の拘束を解き、支持ロッド７５を根本部７５ａを中心として回し、支持ロッド７５の自由端を天板部５ｂに設けた側部フレーム５ｃに取付けた係止具７７に係止させて天窓ガード２６の降下を止めておく。
【００３２】
図２、図４、図７において、８０はキャブ５の天板部５ｂにおける天窓ガード２６で覆われた部分より後部を覆う後部ガードである。この後部ガード８０は、型材で矩形に組まれた枠８１内に板材８２を張ることにより構成している。この後部ガード８０は天板部５ｂに固定して取付ける。
【００３３】
図２〜図６において、８４は作業箇所を照明するライトである。このライト８４は、コーナーガード２７におけるフロント７の反対側縦枠４８上にＵ字形ブラケット８５を介して取付ける。このライト８４は縦枠４８の長手方向に沿って複数個（図示例は２個）取付ける。図６に示すように、これらのライト８４は、ボルト８６をブラケット８５に設けた孔を通してライト８４の枠に設けたねじ孔８４ａに螺合し締結することによりブラケット８５に固定され、ボルト８６を緩めることにより、ボルト８６を中心に回動することにより、姿勢変更可能である。
【００３４】
図５に示すように、これらのライト８４は、輸送時にはライト８４の姿勢が最も低くなり、ライト８４の最上部が天窓ガード２６の上面より低くなるように設定する。すなわち、図５の例では、ライト８４が実線で示す前向きの場合より２点鎖線で示す上向きの姿勢のときにライト８４の最上部がΔＨだけ低くなり、最上部が最も低い姿勢となる。このようにライト８４の姿勢を低くすることにより、ライト８４の上面が天窓ガード２６の上面と同等またはその上面より低くなるように構成している。
【００３５】
以上に述べたように、この実施の形態においては、キャブ５の上面を覆うヘッドガードを、前窓２２と天窓２５とのコーナー部を覆うコーナーガード２７と、このコーナーガードと別体に開閉可能に取付けられた天窓ガード２６とに分離したので、開閉可能な天窓ガード２６を軽量に構成することができる。このため、天窓２５を掃除する際に天窓ガード２６を容易に開閉することが可能となる。また、開閉される天窓ガード２６の重量が従来のヘッドガードより軽量となるので、天窓ガード２６を開く際に押上力を助成するガスシリンダ６８等の付勢手段の規模を小さくすることが可能となる。また、天窓ガード２６の重量を従来のヘッドガードと同等程度としても開閉可能となるので、強度を高くした天窓ガード２６を構成することが可能となる。
【００３６】
また、この実施の形態においては、コーナーガード２７の上枠４９の板面および天窓ガード２６の前枠６２の板面をいずれもキャブ５内のオペレータの視線の方向と平行となるように設定したので、これらの部材がオペレータの視野の妨げとなることを最小限に留めることができる。
【００３７】
また、この実施の形態においては、コーナーガード２７の下端を前窓ガード２３に取付けると共に、キャブ５の上面に設けられた天窓ガード２６の取付け座５５をコーナーガード２７の取付けに兼用したので、コーナーガード２７専用の取付け座を設ける必要がなく、取付け座の数を削減することができ、オペレータの視界を良好とすることができる。
【００３８】
また、この実施の形態においては、コーナーガード２７のフロント７の反対側に、複数のライト８４を縦枠４８の長手方向に並べて取付けたので、ライト８４がフロント７側、すなわち作業対象側の視界を遮ることがなく、作業対象方向の視界が良好となる。
【００３９】
また、この実施の形態においては、コーナーガード２７上にライト８４を姿勢変更可能に取付けると共に、ライト８４の最上部が最も低くなる姿勢において、最上部が天窓ガード２６の上面以下となる構造としたので、ガードを含めたキャブの高さを輸送制限高さ以下に抑えることが可能となる。
【００４０】
また、この実施の形態においては、フロント７の反対側に天窓ガード２６の枢着部６６を設けているので、キャブ５に昇降するためのステップ５ｄに作業員が乗った状態で天窓ガード２６を開閉することができる。
【００４１】
以上本発明を実施の形態により説明したが、本発明は、上記実施の形態に限らず、本発明の要旨を逸脱しない範囲において、種々の変更、付加が可能である。例えば前窓ガード２３，２４やコーナーガード２７も開閉可能に構成してもよい。また、天窓ガード２６に開く方向の力を付与する付勢手段としては、ガスシリンダ以外にばねを用いた構成のものを用いることができる。また、本発明は天窓ガードが必要な例えばスクラップ処理機や掘削機等の他の作業機にも適用することが可能である。
【符号の説明】
【００４２】
１：下部走行体、２：上部旋回体、２ａ：旋回フレーム、３：旋回装置、４：油圧パワーユニット、５：キャブ、６：カウンタウエイト、７：作業用フロント、２１：キャブガード、２２：前窓、２３，２４：前窓ガード、２５：天窓、２６：天窓ガード、２７：コーナーガード、３２：縦枠、３３：下枠、３４：上枠、３５：縦板、３６：横板、３８：縦枠、３９：上枠、４０：下枠、４１：縦板、４３：取付け座、４４：ブラケット、４５：ボルト、４６：ナット、４８：縦枠、４９：上枠、５０：下枠、５１：縦板、５３：ボルト、５４：ナット、５５，５６：取付け座、５７：ブラケット、５８：ボルト、５９：ナット、６０：側枠、６１：後枠、６２：前枠、６３：平板、６４：縦板、６６：枢着部、６８：ガスシリンダ、７０，７１：ブラケット、７２，７３：ボルト、７５：支持ロッド、７６：止め具、７７：係止具、８０：後部ガード、８４：ライト、８５：Ｕ字形ブラケット、８６：ボルト
【図１】
0005518596.tif 000002
【図２】
0005518596.tif 000003
【図３】
0005518596.tif 000004
【図４】
0005518596.tif 000005
【図５】
0005518596.tif 000006
【図６】
0005518596.tif 000007
【図７】
0005518596.tif 000008